(57)【要約】【課題】現状の方法は、ホタルの羽化に付いては、ホタル自身の行動に任せている為、最終齢幼虫が上陸し、川筋の畑等の土の中に、土繭作り、羽化してホタルになるが、当然、最終齢幼虫が上陸し、羽化すべき幼虫が、上陸せず、もう一年待機とか、ホタルが上陸する期限がある為、河川のコンクリート化等で、羽化出来ず、数が少なくなっていると共に幼虫の搬入・搬出も出来なかった。幼虫の観察から羽化し卵を産むまでの一連のシステム化がなかった。【解決手段】ホタル強制羽化キッドは、最終齢幼虫になれば、（土ボタル）として、尾が発光している或いは、大きくなっているので、ホタル自身で上陸するのを待つのではなく、準備した強制羽化用装置に人為的に移動させるだけで、歩留りの効率よいホタル羽化が出来る。【選択図】図３
2006254826.tif 000002
【特許請求の範囲】
【請求項１】
ホタルの最終齢幼虫を強制的に羽化させるため、最終齢幼虫を傷つけない様に、人為的に抓みあげ強制羽化用キット（装置）に入れ、土繭を作らせ、ホタルになるための、容器と容器内に入れられた飼育床と飼育床上に置かれたホタルの最終齢幼虫を有する飼育キツト。
【請求項２】
産卵床を有する請求項１に記載のホタル飼育キット。
【請求項３】
前記飼育床が畑土、本田土、山土、砂、腐葉土、おがくず、籾殻、及び粘土質等より構成された擬似土壌である請求項１のホタル飼育キット。
【請求項４】
産卵床を有する請求項１に記載のホタル飼育キットの土壌挿入方法。
【請求項５】
前記飼育床、鑑賞床を有する請求項１に記載する観察及び他所に移動出来る飼育キット。
【請求項６】
純酸素封入及び、濃度の高い酸素使用による移動用飼育キット。
【発明の詳細な説明】
【技術分野】
【０００１】
本発明は、自然に近い状態で手間を掛ける事なく、容易で、安全で、かつ効率的に、養殖ホタルの幼虫の成長観察を始め、幼虫のまま輸送したり、最終齢幼虫の土繭のまま輸送したり、効率良くホタルの羽化が出来ると共に、羽化したホタルの鑑賞可能な状態でも、絶滅地域に移動可能である。ホタルの鑑賞後産卵させ、自然に近い状態で産卵させ、養・繁殖出来る循環システムの飼育キットである。
【背景技術】
【０００２】
この種のホタル養殖装置として、大型容器内に水を溜めてカワニナ等の巻貝を入れ、大型容器内の水面に浮上させた小型容器の周辺に粘土層を形成し、中央部に設けた水室にホタルの幼虫をを入れて、モーター駆動により、水室と送水管及び排出管で配管された循環系システムが構成されている。（特許文献１）羽化については、小型容器内には、器内の周辺に傾斜させた土繭用粘土層を形成して中央に水室を設けたので、水室の幼虫が、粘土層に容易に這い上がって器内で土繭を作る事が出来て器外に這出る事無く、モーター駆動により、循環系システムが構成されているので、幼虫及びカワニナも生育し、ホタルの養殖に効果有る。
【０００３】
ホタル養殖は、動力源、屋根及び大きな設置スペースの有る一定の養殖用施設内に設置する必要が有り、手軽に、何処にでも使用でき無いので、川、用水路、湖、池、水槽等の浮上させられる多量水が有りさえすれば、その水面上に浮遊さ瀬手、手軽に設置する事が出来、電力の供給できない場所にあっても、装置内の水を自然に取替えることが出来、いろいろな場所に於けるホタル養殖及びホタルの個数の増大に寄与出来る。（特許文献２）
【０００４】
実質的に水の交換が不要で、ホタルの生態に即した環境を整え、ホタルがそのライフサイクル完結（源氏の場合、５月下旬に水辺に産卵された卵が約２３〜２４日で孵化した幼虫（１ｍｍ前後）が水中に移動し、自分の大きさにあったカワニナを食取し、脱皮（７回程度）を繰返し、来年４月の下旬、最終齢幼虫に至ると自分で陸上に移動して土中で土繭を作り、５月下旬蛹から羽化し成虫になり、交尾して産卵後その一生を終える）できるようになし、かつ、人手を掛ける事無く、手近で自立的にホタルを飼育、継代養殖出来る装置を提供する。（特許文献３）容器内に、水域とこれに接する理区域を設け、水域の水循環を行いつつ、水域内でホタルの幼虫及び幼虫の餌となるカワニナ等の貝を成育せしめ、陸域で成虫へ羽化させるホタルの養殖装置において、陸区域内部に湿潤層を形成して水を浸透させ、水循環ポンプにより陸域を通して水を水域に循環させるとともに該環境水の浄化手段を設ける。
【０００５】
近時、水辺環境の悪化からホタル（源氏・平家）の成長に適した環境即ちカワニナの繁殖出来る環境が、失われており、都市近郊では殆どホタル（源氏・平家）を見ることが無くなった。自然環境破壊の影響は大きく、人類の生存まで脅かされる状況をを作り上げている。このような状況を鑑み、ビオトープ、コンクリート工法から生物が住める自然石工法が取られてきている。（特許文献４）
記載されたものは、最終齢幼虫が上陸して、畑の土にて、土繭を作り、ホタルになる羽化に付いては、ホタル自身に任せている。
【特許文献１】実公平７−１９７４号公報
【特許文献２】特許公開平８−３２２４２８号公報
【特許文献３】特開２０００−１５７１０１号公報
【特許文献４】特開２００４−２２２７０４号公報
【発明の開示】
【発明が解決しようとする課題】
【０００６】
解決しょうとする問題点は、羽化に付いては、ホタル自身に任せている為、最終齢幼虫が上陸し、畑等の土の中に、土繭作り、羽化してホタルになるのであるが、当然、最終齢幼虫が上陸し、羽化すべき幼虫が、上陸せず、もう一年待機してみたり、上陸する期限がある為、何らかの理由で、上陸装置無かったり、上陸が妨げたりすると、羽化出来ず、死亡したりして、数が少なくなると共に、羽化条件により非常にバラツキが有り、歩留り効率悪い。1年間の苦労が一瞬の泡と消え去る危険が高い。また、産卵についても、ホタルの雄、雌を採取するのであるが、自然界に飛んでいるホタルの雄、雌の区別が難しい。採取した種ホタルは、別途産卵装置として、山ごけ、水ごけ等に産卵させているので、作業が複雑になっている。
【０００７】
ホタル養・繁殖に重点が置かれ、幼虫の状態の観察や移動・輸送等まで出来になかったためホタル絶滅地域での養・繁殖及び他の場所からの移動・搬入も出来なかった。強いホタルの改良等が出来なかった。
【課題を解決するための手段】
【０００８】
第１の手段は、最終齢幼虫になれば、（土ボタル）として、尾が発光している或いは、大きくなっているので、ホタル自身で上陸するのを待つのではなく、最終齢幼虫にキズを付けなように抓みあげ、準備した強制羽化用装置に移動させるのがポイントである。水室と上陸用の装置不要となるので、操作上簡単で、効率がよい羽化装置を提供するものである。
【０００９】
第２の手段は、今まで、幼虫や蛹が羽化する装置の移動が出来なかったが、幼虫や蛹が土繭を作る容器さえあれば、移動可能な装置でホタル絶滅地域での養・繁殖及び他の場所からの移動・搬入も出来るようになった。
【００１０】
第３の手段は、幼虫から最終齢虫までの飼育・成長過程の観察や蛹が土繭を作って完全変態し、ホタルになるまでの自然観察が可能になった。
【発明の効果】
【００１１】
本発明の効果は、ホタル自身で上陸するのを待つのではなく、準備した強制羽化用装置に移動させると非常に効率よく蛹からホタル成虫への完全変態が出来る。即ち羽化の歩留り効率アップにより、ホタルの個数の増大に繋がり、特に源氏ボタルの絶滅を回避出来る事である。
【００１２】
今までホタルの性質上、羽化時、周辺の土等に潜るため搬入・搬出が出来なかったが、ホタル強制羽化用装置は、絶滅種のホタルの輸送・移動・搬入を可能にし、広範囲な場所での繁殖の手段として有効である。
【００１３】
羽化から産卵までの一連のキットのため、自然に近い状態で、鑑賞から効率よい産卵まで、可能になった。
【００１４】
自然環境の保持、都会の子供達（幼稚園児、小中学生等）の教材、足の不自由なお年寄り、病院の見舞い、老人ホーム等「癒しの場」の提供及び官庁の環境取組み状態の現物ＰＲ等に大いに利用可能になる。
【発明を実施するための最良の形態】
【００１５】
容器の材質として、合成樹脂、ガラス瓶等透明な材質であれば、外部から観察し易いので、好ましい。（例えば、有効利用目的で、使用済み透明なペット容器等）・幼虫の移動（搬出・搬入）に当たっては、ペット容器等に水を入れた中に餌となるカワニナを補給して、簡易エアーポンプで、バブリングし、空気を容器の中に供給する。最終齢幼虫〜羽化までの移動（搬出・搬入）に当たっては、畑の土（休耕地の本田を有機肥料を入れ畑地に耕作した、ミミズ等の繁殖している土で、微塵砂も含有している。）を入れたものの中に、最終齢幼虫を強制的入れたままで良い。羽化〜産卵も強制羽化用キットをそのまま使用可能。使用済みペットボトルの有効再利用も出来、ムダの減少に繋がる。観賞用装置として、昆虫飼育箱やガラス製瓶(広口)及び虫籠を使用し、ストレスの解消、癒しの場の提供が出来る。
【実施例１】
【００１６】
本発明を具体化したホタルの強制羽化用装置の実験例について、図面を参照して説明する。まず、図１示す（多くのホタルの羽化用に使用する）第１実施例のホタル強制羽化用キットの概略斜視図である。透明な合成樹脂製の本体と上部蓋（サイドに抑え用に留めのあるもの）よりなる長さ４４０ｃｍ、幅３５６ｃｍ、高さ２３０ｃｍの容器（衣裳ケース）である。図２は、図１の上部図である。図３は（少数のホタルの搬入・搬出・強制羽化及び産卵に使用する）ホタルの強制羽化キッドの概略断面図である。（図４）図３のホタルの強制羽化キッドの上部視図である。（図５）図３のホタルの幼虫飼育・鑑賞キッド及び移動用等の概略断面図である。（図６）図５のホタルの幼虫飼育・鑑賞キッドに移動用に酸素置換した概略断面図である。
【実施例２】
【００１７】
図１、３に示す様に、簡単な箱やペットボトルの再利用にて、例  ０４．５月初旬香川県のある場所に搬出したが異常なく、ホタルの羽化が非常に良好であった。ほぼ１００％（１５０匹中１４８羽化）の歩留りであった。ホタル（源氏・平家）の絶滅種地域等に羽化用最終齢幼虫を搬入するに適している。（衣装ケース：Ｌ：４４０ｃｍ×Ｗ：３５６ｃｍ×Ｈ：２３０ｃｍの大きさ×Ｈ：５〜６ｃｍ
畑土）
【実施例３】
【００１８】
図１の上部蓋に約１〜２ｍ／ｍの穴をあけホタル（源氏・平家）が出ない程度の空気孔を開ける。数は多いほうが良いが、実験では、１００個開けた。実際の実験では、０４．０４．０２〜０４．０５．２２間、ホタル幼虫３２匹を、衣装ケース；Ｌ：４４０ｃｍ×Ｗ：３５６ｃｍ×Ｈ：２３０ｃの大きさで、３２匹／０．１５６底面積ｍ２＝２０５匹／ｍ２強制羽化用キットで約９８％（３１羽化／３２強制上陸）の効率であった。強制羽化用装置として、非常に有効である。（土は上記記載の畑土使用）この結果、一つの目安として、ホタル羽化出来るスぺース２０５匹／ｍ２と土繭を作る約５cm程度土が入る深さと羽化したホタルの飛翔用の透明な容器が必要である。
【実施例４】
【００１９】
図５、図６(酸素置換)使用で、０４．３  高知県に幼虫５０匹搬出したが、一匹も死んでなかった。この幼虫が、４８匹羽化し、結果良好であり、移動〜羽化まで出来る事、実施確認出来た。
【実施例５】
【００２０】
０２．４．０９〜５．２８  砂礫、園芸用用土（赤玉５０％＋ボタ土４０％＋砂１０％（米粒程度））にて、最終齢幼虫が自然に上陸させる方法で（特許文献３）、実験した所、３０匹中１０匹上陸し、羽化３匹であった。結果は、約１０％の羽化であった。羽化の効率悪かった。
【産業上の利用可能性】
【００２１】
本発明は前記実施例の構成に限定されるものでなく例えば次のように発明の趣旨から逸脱しない範囲で、適宜変更して具体化することも出来る。
容器内の羽化用用土を種々取替えて、より比重の軽い羽化効率のよい用土羽化環境を、使用者が自由に構成する事。容器の材質はポリ製の透明なものが、内部観察に適しているが、持ち運び便利な、水槽・昆虫飼育箱の有休利用も考えられる。
ホタルが羽化し、容器の中で飛翔すれば、ホタル専用の竹篭に移し、鑑賞すると、癒し効果、インテリア等利用考えられる。産卵させる場合は、上記（３）項の容器の上部にミズゴケ、若しくは脱脂綿をガーゼに巻いたもの吊り下げる。
【図面の簡単な説明】
【００２２】
【図１】本発明のホタルの強制羽化キッドの概略斜視図(（多数のホタルの搬入・搬出・強制羽化及び産卵に使用する）
【図２】図１のホタルの強制羽化キッドの上部視図である。
【図３】本発明のホタルの強制羽化キッドの概略断面図である。（少数のホタルの搬入・搬出・強制羽化及び産卵に使用する）
【図４】図３のホタルの強制羽化キッドの上部視図である。
【図５】図３のホタルの幼虫飼育・鑑賞キッド及び移動用概略断面図である。
【図６】酸素置換時の図３のホタルの幼虫飼育・鑑賞キッド及び移動用概略断面図である
【符号の説明】
【００２３】
１  ハウジング(例  箱型)
２  ハウジングの上部蓋（例  箱型の上部蓋)
３  ホタル羽化用土壌
４  ホタル産卵用マット
５  ホタルの強制羽化キッドの空気口
６  ハウジングの上部蓋（(例  ペットボトルの上部蓋)
７  ペットボトル使用時の土壌挿入口
８  ペットボトル使用時での搬入・搬出用ホタル幼虫と水
９  ペットボトル使用での搬入・搬出用時のカワニナ(餌)
１０  ホタル幼虫移動用時使用によるエアーレーション
１１  ホタル幼虫移動時用酸素封入置換用パイプ
１２  ホタル幼虫移動時用酸素封入置換用酸素気泡
１３  ペットボトル使用時での搬入・搬出用河川の水
【図１】
2006254826.tif 000003
【図２】
2006254826.tif 000004
【図３】
2006254826.tif 000005
【図４】
2006254826.tif 000006
【図５】
2006254826.tif 000007
【図６】
2006254826.tif 000008